(57)【要約】【課題】電力系統の状態変化を提供するイベントをカスタマイズ可能にし、オペレータが理解しやすい表現のイベントとすることである。【解決手段】変電所が管轄する電力系統の状態変化に対応したイベントを作成するためのルールとして状態変化に含まれる情報をカスタマイズ可能な形式のイベントを作成できるルールを予め格納したルール定義格納部２１を備え、ルール抽出手段２５は、状態変化を受信したときその状態変化に対応するルールをルール定義格納部から抽出し、イベント作成手段２６は、状態変化に含まれる情報及びルール抽出手段２５が抽出したルールに基づいてイベントを作成し、イベント登録手段２７は、イベント作成手段２６で作成したイベントをイベントリスト格納部２３に格納し、イベント表示要求手段２８はイベントリスト格納部２３に格納されたイベントを表示装置２０に表示する。【選択図】  図１
2011019346.tif 000002
【特許請求の範囲】
【請求項１】
変電所が管轄する電力系統に状態変化があったときその状態変化をイベントとして表示装置に表示して監視制御する変電所監視制御システムにおいて、前記状態変化に対応したイベントを作成するためのルールとして前記状態変化に含まれる情報をカスタマイズ可能な形式のイベントを作成できるルールを予め格納したルール定義格納部と、前記状態変化を受信したときその状態変化に対応するルールを前記ルール定義格納部から抽出するルール抽出手段と、前記状態変化に含まれる情報及び前記ルール抽出手段が抽出したルールに基づいてイベントを作成するイベント作成手段と、前記イベント作成手段で作成したイベントをイベントリスト格納部に格納するイベント登録手段と、前記イベントリスト格納部に格納されたイベントを表示装置に表示するイベント表示要求手段とを備えたことを特徴とする変電所監視制御システム。
【請求項２】
前記ルール定義格納部に予め格納されるルールは、前記状態変化に含まれる情報のうちの特定の情報で場合分けしたルールであり、前記ルール抽出手段は前記状態変化の特定の情報が一致するルールを前記ルール定義格納部から抽出することを特徴とする請求項１記載の変電所監視制御システム。
【請求項３】
前記ルール定義格納部に予め格納されるルールは、前記状態変化信号に含まれる情報のうちの２以上の特定の情報で場合分けされたルールであり、前記ルール抽出手段は前記状態変化の２以上の特定の情報が一致するルールを前記ルール定義格納部から抽出することを特徴とする請求項１記載の変電所監視制御システム。
【請求項４】
前記ルール定義格納部に予め格納されるルールは、前記状態変化に含まれる情報のうちの特定の情報で場合分けされ、機能毎に異なる複数のイベント形式を持つルールであり、前記ルール抽出手段は前記状態変化の特定情報が一致するルールを前記ルール定義格納部から抽出し、前記イベント作成手段は、前記状態変化に含まれる情報及び前記ルール抽出手段が抽出したルールに基づいて複数のイベント形式のイベントを作成し、前記イベント登録手段は前記イベント作成手段で作成された複数のイベントのうち機能に合致したいずれか一つを選択してイベントリスト格納部に格納することを特徴とする請求項１記載の変電所監視制御システム。
【発明の詳細な説明】
【技術分野】
【０００１】
本発明は、変電所が管轄する電力系統に状態変化があったときその状態変化をイベントとして表示装置に表示して監視制御する変電所監視制御システムに関する。
【背景技術】
【０００２】
変電所の監視制御システムを担当するオペレータは、監視制御システムが管理する電力系統状態や機器の動作状況を監視し、電力系統の状態変化があった場合にはその内容を的確に把握し系統を制御する必要がある。電力系統の状態変化を知る手段の一つとして、イベントが発生したことを示すリストをオペレータ用の表示装置に表示することが行われている。
【０００３】
このイベントを表示するリストは、オペレータに対して発生した事象をよりわかりやすく文章で理解させることを主眼としている。このイベントリストに表示する内容は、機器を監視する機能、機器を制御する機能、システム運用を管理する機能などがそれぞれ別個に作成して表示している。
【０００４】
オペレータにガイダンスを提示するものとしては、電力系統の事故発生後の復旧操作手順を画面に表示するために予めデータベースに格納しているガイダンスデータを組み合わせて事故報告書を作成する復旧支援システムがある（例えば、特許文献１参照）。
【先行技術文献】
【特許文献】
【０００５】
【特許文献１】特開２００１−８３６５号公報
【発明の概要】
【発明が解決しようとする課題】
【０００６】
しかし、特許文献１のものは、データベースに入力されているガイダンスデータを読み込んだ後に事故報告書を作成していくものであるが、この事故報告書は定型のフォーマットであり固定化されているので、オペレータに提供する情報の形態が変更になる場合は容易に対応できないものであり、また、電力ユーザによる変更も困難なものである。
【０００７】
一方、表示装置にイベントリストを表示するものでは、イベントリストに表示する内容は、機器を監視する機能、機器を制御する機能、システム運用を管理する機能などそれぞれの機能がそれぞれ別に作成し表示しているので、内容に統一性がなく、場合によっては誤った文章を表示することもあった。
【０００８】
このように、従来のものでは、オペレータに提供する情報はデータベースに登録されているもののフォーマット上での配置の組み合わせを行うのみで、元となる情報については固定化されている。このため、個々の情報については自由度がなく必ずしも電力系統の状況に沿った内容ではなく、オペレータによる解読が困難であった。
【０００９】
図１０は従来の変電所監視制御システムでのイベントリストの表示例の説明図である。図１０では、事故処理機能、監視処理機能、制御処理機能を有した演算処理装置の場合を示している。演算処理装置１１の事故処理機能１２は、系統事故が発生した際には、その事故情報に基づきガイダンスデータベース１３から必要なガイダンスを取得し、事故報告書１４に当て嵌めて事故報告書を作成する。また、演算処理装置１１の監視処理機能１５や制御処理機能１６は、電力系統に状態変化があったときは、設備データベース１７を参照して機器名称を取得し、これに表現したい文章を追加してイベント文章を作成し、イベント表示画面１８として表示装置に表示している。この場合、機器名称以外の文章はそれぞれの機能が持つアプリケーション情報、あるいは外部データベースにより固定化されている。
【００１０】
従来のものでは、ガイダンス自体はデータベース化しているため、文言を変更するだけであれば電力ユーザのみで行えるが、新しいガイダンスを追加するような場合は、メーカによるアプリケーション変更が必要である。これは、新たなガイダンスの意味合いをアプリケーション自体も認識し処理しなければならないからである。例えば、事故処理機能１２で作成の事故報告書については、「○○が発生」→「○○の事故が発生」、「□□を投入」→「□□を投入し復旧」というカスタマイズはできなかった。また、新たに「××を遮断」というガイダンスを追加することもできなかった。
【００１１】
また、事故処理機能１２は事故復旧に着目したものであり、ガイダンスデータベース１３は監視処理機能１５や制御処理機能１６での利用は考慮されていないので、監視処理機能１５や制御処理機能１６で用いる情報表示は、ガイダンスデータベース１３とはリンクしておらず、同一システム内の機能であるにもかかわらずオペレータに提供する情報の内容や詳細レベルにばらつきがあった。
【００１２】
これらのことから、オペレータ向けの情報作成を行う機能が異なれば、その表現も異なり、文章を作成するための情報もそれぞれが持つようになる。また、変更する際は、電力ユーザのみならずメーカによる変更も発生し効率が悪かった
すなわち、監視処理機能１５や制御処理機能１６が設備データベース１７を使用している場合は、電力ユーザによるデータベースメンテナンスが広範囲に渡るため効率が悪い上に、変更もれやミスなどが発生しやすかった。また、機能によってデータベースを使用していない場合はアプリケーションの変更が発生するため、電力ユーザとメーカ共に作業が発生し効率が悪かった。
【００１３】
本発明の目的は、電力系統の状態変化を提供するイベントをカスタマイズ可能にし、オペレータが理解しやすい表現のイベントとすることができる変電所監視制御システムを提供することである。
【課題を解決するための手段】
【００１４】
本発明の変電所監視制御システムは、変電所が管轄する電力系統に状態変化があったときその状態変化をイベントとして表示装置に表示して監視制御する変電所監視制御システムにおいて、前記状態変化に対応したイベントを作成するためのルールとして前記状態変化に含まれる情報をカスタマイズ可能な形式のイベントを作成できるルールを予め格納したルール定義格納部と、前記状態変化を受信したときその状態変化に対応するルールを前記ルール定義格納部から抽出するルール抽出手段と、前記状態変化に含まれる情報及び前記ルール抽出手段が抽出したルールに基づいてイベントを作成するイベント作成手段と、前記イベント作成手段で作成したイベントをイベントリスト格納部に格納するイベント登録手段と、前記イベントリスト格納部に格納されたイベントを表示装置に表示するイベント表示要求手段とを備えたことを特徴とする。
【発明の効果】
【００１５】
本発明によれば、電力系統の状態変化を提供するイベントをカスタマイズ可能にし、オペレータが理解しやすい表現のイベントとすることができる。
【図面の簡単な説明】
【００１６】
【図１】本発明の実施の形態に係わる変電所監視制御システムの構成図。
【図２】本発明の実施の形態におけるイベント作成の実施例１の説明図。
【図３】本発明の実施の形態におけるイベントのカスタマイズを行う際のルール変更の説明図。
【図４】本発明の実施の形態におけるイベント作成の実施例２の説明図。
【図５】本発明の実施の形態の実施例２におけるイベントのカスタマイズを行う際のルール変更の説明図。
【図６】本発明の実施の形態におけるイベント作成の実施例３の説明図。
【図７】本発明の実施の形態の実施例３におけるイベントのカスタマイズを行う際のルール変更の説明図。
【図８】本発明の実施の形態におけるイベント作成の実施例４の説明図。
【図９】本発明の実施の形態の実施例４におけるイベントのカスタマイズを行う際のルール変更の説明図。
【図１０】従来の変電所監視制御システムでのイベントリストの表示例の説明図。
【発明を実施するための形態】
【００１７】
以下本発明の実施の形態を説明する。まず、本発明に至った経緯を説明する。一般に、電力系統の状態変化のイベントにつき、カスタマイズ可能な情報を作成するには、電力系統の状態変化を詳細に解析して判断し任意の文字を組み合わせる必要があり文字列処理を多用しなければならないが、マイコンベースである変電所監視制御システムは、計算機処理性能が低く、また記憶容量も小さいため、これらの文字列処理を大量、かつ高速に処理することが困難であった。さらに、表現する文章を電力ユーザと予め決定しておく習慣もあり、カスタマイズ可能なように作り込むこともなく固定化して使用すること一般的であり、本発明のような技術を必要としていなかったが、近年、変電所監視制御システムの計算機処理性能向上および記憶容量増大により膨大な文字列処理が可能となったことや、電力ユーザ自身での高度なカスタマイズのニーズも高まったことにより本発明に至った。
【００１８】
そこで、本発明では、オペレータに提供する情報について、文脈と機器名や状態呼称をカスタマイズできるようにし、表現の自由度を向上させることにより、オペレータに解読しやすい情報の提供を可能とした。また、カスタマイズしたデータをデータベースで一元管理し、監視制御システムを構成するすべての機能がこの仕組みを利用できるようにし、オペレータに提供する情報の内容と詳細レベルとを、監視制御システム全体を通して統一することを可能とし、ついてはオペレータの状況把握の向上につながるようにした。
【００１９】
さらに、一元管理されたデータベースのみのカスタマイズで表現を自由に変えることができることから、電力ユーザによるデータベースメンテナンスのみで運用可能となり、各機能のソフトウェア変更も発生しないようにした。
【００２０】
図１は本発明の実施の形態に係わる変電所監視制御システムの構成図である。変電所監視制御システムは、電力系統からの状態変化信号を入力してイベントリストを作成する演算処理装置１１と、イベント作成のためのルール及び設備データを記憶した記憶装置１９と、演算処理装置１１で作成したイベントリストを表示する表示装置２０とから構成される。
【００２１】
記憶装置１９には、イベント作成のためのルールを格納したルール定義格納部２１と、電力系統の変電所を構成する電気設備の設備データを格納した設備データ格納部２２と、演算処理装置１１で作成したイベントを格納したイベントリスト格納部２３とを有する。後述するように、ルール定義格納部２１には、イベントを作成するためのルールとして、状態変化した機器名称と状変方向とを記述し状変方向の表現をカスタマイズ可能な形式のイベントを作成できるルールが予め格納されている。
【００２２】
また、設備データ格納部２２には電力系統構成や電気設備情報のデータベースが格納されている。電力ユーザにおいて実施される電力設備変更（電力系統における変圧器や送電線の増設や廃止など）に伴い、変電監視制御システムも何らかの変更を行う必要がある。この変更は変電監視制御システムのアプリケーションに依存することなく電力ユーザが実施できなければならないため、電力系統構成や電気設備情報をデータベースとして設備データ格納部２２に格納している。
【００２３】
演算処理装置１１は、電力系統からの状態変化信号を受信する状態変化受信手段２４と、状態変化信号に対応するルールをルール定義格納部２１から抽出するルール抽出手段２５と、状態変化信号に含まれる情報及びルール抽出手段２５が抽出したルールに基づいてイベントを作成するイベント作成手段２６と、イベント作成手段２６で作成したイベントをイベントリスト格納部２３に登録するイベント登録手段２７と、イベントリスト格納部２３に格納されたイベントを表示装置２０に表示するイベント表示要求手段２８とを備えている。
【００２４】
すなわち、イベント作成の際の文章の組み立て条件をルールとしてデータベース化し、予めルール定義格納部２１に格納し、イベントの文章の組み立ては、イベント作成手段２６がルール定義格納部２１のルールを参照して行うように構成した。これにより、ルールを適用するだけで文章を作成でき、これを表示装置２０に表示するようにした。
【００２５】
次に、本発明の実施の形態に係わる変電所監視制御システムの処理内容について説明する。図２は本発明の実施の形態におけるイベント作成の実施例１の説明図である。図２（ａ）に示すように、電力系統で発生した状態変化の内容が「機器番号＝００３、状変方向＝閉」であったとする。状態変化受信手段２４は受信した状態変化信号の内容を参照し機器番号を取得する。ここでは「００３」を取得することになる。
【００２６】
ルール抽出手段２５は、ルール定義格納部２１からルールを取得する。図２（ｂ）に示すように、ルール定義格納部２１には“機器名称（機器種別）”+“Close”というルールが格納されているとする。
【００２７】
イベント作成手段２６はこのルールに従い、設備データ格納部２２の設備データを参照しイベントを作成する。設備データ格納部２２には、図２（ｃ）に示すように、機器番号に対応して機器種別及び機器名称が格納されている。
【００２８】
イベント作成手段２６は、機器番号＝００３の機器番号を持つ機器名称“Q2 Disconnector”を設備データ格納部２２から取得し、ルールの機器名称の欄に取得した機器名称“Q2 Disconnector”を挿入して、図２（ｄ）に示すように、イベント“Q2 Disconnector Close”を生成する。ここで、本来のイベントリストは検出日時や、機器が属する系統名や電圧階級などの情報を付与するケースがほとんどであるが、ここではこれらの付加情報については説明を省略する。
【００２９】
イベント登録手段２７は、図２（ｅ）に示すように、整形されたイベントリスト“Q2 Disconnector Close”をイベントリスト格納部２３に保存する。イベントリスト格納部２３はこれまでに発生した事象を蓄えておく領域である。
【００３０】
イベント表示要求手段２８は、登録したイベント“Q2 Disconnector Close”をオペレータに周知するために表示装置２０に対して表示要求を行う。
【００３１】
次に、イベントのカスタマイズについて説明する。図３は本発明の実施の形態の実施例１におけるイベントのカスタマイズを行う際のルール変更の説明図である。イベント“Q2 Disconnector Close”に対し、イベント“Q2 Disconnector changed from Open to Close.”と表示したい場合を例に説明する。
【００３２】
この場合、ルール定義格納部２１には、図３（ａ）に示すように、「機器名称と機器種別を設備データ格納部２２から取得し、機器状態は開から閉に変化した」ことを生成するルール“機器名称”+“（機器種別）”+“changed from Open to Close.”を定義する。
【００３３】
実際には、図３（ｂ）に示すように、EqName“（“EqKind”）”“changed from Open to Close.”と記載する。ここでEqNameは機器番号から機器名称を得る関数である。また、EqKindは機器番号から機器種別を得る関数である。それぞれ設備データ格納部２２を参照する関数であり、機器が所属する系統名称を表示したい場合はEqBayのような所属系統名称を得る関数を準備しておき、これをルール定義に記載することで実現できる。
【００３４】
本発明の実施の形態の実施例１によれば、ルール定義を変更することにより、イベントリストの文章を自由に変更することが可能になる。これにより、オペレータがわかりやすい文章をイベント表示することができ、電力系統や電気設備の状態を迅速かつ的確に把握できるため、事故時の早期復旧や系統の安定運用など、電力品質の安定化にも寄与できる。また、これらの変更はアプリケーションの改変は必要としないため、電力ユーザによる変更のみで対応可能となり、メンテナンス性の向上にもつながる。
【００３５】
図４は本発明の実施の形態におけるイベント作成の実施例２の説明図である。この実施例２は、ルールに条件を記載できるようにしたものであり、状態変化信号に含まれる情報のうち状変方向または機器種別を条件として場合分けしたルールを有したものである。
【００３６】
図４（ａ）に示すように、電力系統で発生した状態変化の内容が「機器番号＝００２、状変方向＝開」であったとする。状態変化受信手段２４は受信した状態変化信号の内容を参照し機器番号と状変方向とを取得する。ここでは「００２」と「開」とを取得することになる。
【００３７】
ルール抽出手段２５は、ルール定義格納部２１を参照し、「状変方向＝開」に合致するルールを検索する。ここでは、図４（ｂ）に示すように、「rule1:状変方向＝開の場合、“機器名称(機器番号)”+“Open”」を抽出する。
【００３８】
イベント作成手段２６はこのルールに従い、設備データ格納部２２を参照しイベントを作成する。設備データ格納部２２には、図４（ｃ）に示すように、機器番号に対応して機器種別及び機器名称が格納されている。イベント作成手段２６は、機器番号＝００２の機器番号を持つ機器名称“Q1 Disconnector”を設備データ格納部２２から取得し、ルールの機器名称の欄に取得した機器名称“Q1 Disconnector”を挿入して、図４（ｄ）に示すように、イベント“Q1 Disconnector Open”を生成する。
【００３９】
イベント登録手段２７は、図４（ｅ）に示すように、整形されたイベントリスト“Q1 Disconnector Open”をイベントリスト格納部２３に保存する。そして、イベント表示要求手段２８は、登録したイベント“Q1 Disconnector Open”をオペレータに周知するために表示装置２０に対して表示要求を行う。
【００４０】
次に、ルールの記載例について説明する。図５は本発明の実施の形態の実施例２におけるイベントのカスタマイズを行う際のルール変更の説明図である。イベント生成の条件として、「機器種別がＣＢの場合」と「機器種別がＣＢ以外の場合」とを記載する場合を説明する。
【００４１】
図５（ａ）に示すように、ルール定義格納部２１には「機器種別がＣＢの場合は“Circuit Breaker”と表示する」ルールと、「機器種別がＣＢ以外の場合は“Other Equipment”と表示する」ルールとを記載する。
【００４２】
実際には、図５（ｂ）に示すように、(=EqKind“CB”),“Circuit Breaker”、(!=EqKind“CB”),“Other Equipment”と記載する。ここで、(= EqKind “CB”)が表す条件は「EqKind(設備データ格納部２２から得た機器種別)と文字列“CB”が等しい(=)場合は“Circuit Breaker”のイベントを生成する」である。また、(!= EqKind “CB”)が示す条件は「EqKind(設備データ格納部２２から得た機器種別)と文字列“CB”が等しくない(!=)場合は“Other Equipment”のイベントを生成する」である。
【００４３】
EqKindは機器番号から機器種別を得る関数である。これは設備データ格納部２２を参照する関数であり、例えば、機器が所属する系統名称を条件にしたい場合はEqBayのような所属系統名称を得る関数を準備しておき、これをルール定義に記載することで実現できる。
【００４４】
以上の説明では、条件の判断は等号(=)で行うようにしたが、等号(=)の不等号、大小比較などを使用することが可能である。従って、「機器種別がＣＢの場合」の他に「機器種別がＣＢ以外の場合」や「機器番号が００２以上の場合」等の条件を定義することができる。
【００４５】
本発明の実施の形態の実施例２によれば、実施例１の効果に加え、ルールに条件を記載できるようにし、これを解釈することで、従来はアプリケーションでしか実施できなかったようなイベント作成を電力ユーザ自らデザインすることができる。このため、従来よりもわかりやすいイベントにすることが可能となる。これは、電力ユーザによる柔軟なカスタマイズ機能を提供するばかりではなく、変電監視制御システムのメーカにとってはメンテナンスフリー化と多種多様な電力ユーザに提供が可能となる。
【００４６】
図６は本発明の実施の形態におけるイベント作成の実施例３の説明図である。この実施例３は、ルールに複数の条件を記載できるようにしたものであり、状態変化信号に含まれる情報のうち機器種別毎に状変方向で場合分けされたルールを有したものである。
【００４７】
図６（ａ）に示すように、電力系統で発生した状態変化の内容が「機器種別＝ＳＷ、状変方向＝開」であったとする。状態変化受信手段２４は受信した状態変化信号の内容を参照し機器種別と状変方向とを取得する。ここでは「ＳＷ」と「開」とを取得することになる。
【００４８】
ルール抽出手段２５は、ルール定義格納部２１を参照し、「機器種別＝ＳＷ、状変方向＝開」を元に合致するルールを検索する。ここでは、図６（ｂ）に示すように、「rule3:機器種別＝ＳＷ、状変方向＝開の場合、“機器名称(機器番号)”+“Remote”」を抽出する。
【００４９】
イベント作成手段２６はこのルールに従い、設備データ格納部２２を参照しイベントを作成する。設備データ格納部２２には、図６（ｃ）に示すように、機器番号に対応して機器種別及び機器名称が格納されている。イベント作成手段２６は、機器種別＝ＳＷの機器種別を持つ機器の名称“Remote/Local Control”を設備データ格納部２２から取得し、ルールの機器名称の欄に取得した機器名称“Remote/Local Control”を挿入して、図６（ｄ）に示すように、イベント“Remote/Local Control Remote”を生成する。
【００５０】
イベント登録手段２７は、図６（ｅ）に示すように、整形されたイベントリスト“Remote/Local Control Remote”をイベントリスト格納部２３に保存する。そして、イベント表示要求手段２８は、登録したイベント“Remote/Local Control Remote”をオペレータに周知するために表示装置２０に対して表示要求を行う。
【００５１】
次に、ルールの記載例について説明する。図７は本発明の実施の形態の実施例３におけるイベントのカスタマイズを行う際のルール変更の説明図である。イベント生成の条件として、「機器種別がＣＢかつ状変方向が開の場合」と「機器種別がＣＢかつ状変方向が閉の場合」を記載する場合を説明する。
【００５２】
図７（ａ）に示すように、ルール定義格納部２１には「機器種別がＣＢかつ状変方向が開の場合は“Circuit Breaker Open”と表示する」ルールと、「機器種別がＣＢかつ状変方向が閉の場合は“Circuit Breaker Close”と表示する」ルールとを記載する。
【００５３】
実際には、図７（ｂ）に示すように、（AND (= EqKind “CB”) (= EqSts “Open”)）,“Circuit Breaker Open”、（AND (= EqKind “CB”) (= EqSts “Close”)）,“Circuit BreakerClose”と記載する。ここで、（AND (= EqKind “CB”) (= EqSts “Open”)）が表す条件は「EqKind(設備データ格納部から得た機器種別)と文字列“CB”が等しい(=)場合、かつ(AND)、「EqSts(機器状態)から得た状変方向と文字列“Open”が等しい(=)場合は“Circuit Breaker Open”のイベントを生成する」である。また、（AND (= EqKind “CB”) (= EqSts “Close”)）が表す条件は「EqKind(設備データ格納部２２から得た機器種別)と文字列“CB”が等しい(=)場合、かつ(AND)、「EqSts(機器状態)から得た状変方向と文字列“Close”が等しい(=)場合は“Circuit Breaker Close”のイベントを生成する」である。
【００５４】
EqKindは機器番号から機器種別を得る関数である。また、EqStsは機器番号から機器状態を得る関数である。これらは設備データ格納部２２を参照する関数である。例えば、機器クオリティ（正常、異常）を条件に加え、異常時に“failure”と表示したい場合は機器クオリティを得る関数を準備しておき、これをルール定義に記載することで実現できる。
【００５５】
複数の条件は、ＡＮＤやＯＲなどの論理演算子を使用可能である。従って、「機器種別がＣＢかつ状変方向が開の場合」の他に「機器種別がＣＢあるいは機器種別がＳＷの場合」などの複数条件を定義することができる。
【００５６】
本発明の実施の形態の実施例３によれば、ルールに複数の条件を記載できるようにし、これを解釈することで、さらにバリエーションが豊富なイベント作成を電力ユーザ自らデザインすることができる。このため、実態に即した詳細でかつ具体的なイベントにすることが可能となりオペレータの理解は容易となる。
【００５７】
図８は本発明の実施の形態におけるイベント作成の実施例４の説明図である。この実施例４は、イベント作成をある特定の機能だけで使用するのではなく、監視制御システムが持つさまざまな機能で利用し、システム内のイベントを統一するできるようにしたものである。
【００５８】
図８（ａ）に示すように、電力系統で発生した状態変化の内容が「機器種別＝ＣＢ、状変方向＝開」であったとする。状態変化受信手段２４は受信した状態変化信号の内容を参照し機器種別と状変方向とを取得する。ここでは「ＣＢ」と「開」とを取得することになる。
【００５９】
ルール抽出手段２５は、ルール定義格納部２１を参照し、「機器種別＝ＣＢ、状変方向＝開」を元に合致するルールを検索する。ここでは図８（ｂ）に示すように、「rule1:状変方向＝開の場合 “機器名称”+“Open”、“機器種別”+“Open”、“Open”」となる。
【００６０】
イベント作成手段２６はこのルールに従い、設備データ格納部２２を参照しイベントを作成する。設備データ格納部２２には、図８（ｃ）に示すように、機器番号に対応して機器種別及び機器名称が格納されている。イベント作成手段２６は、機器種別＝ＣＢの機器種別を持つ機器の名称“Q0 Circuit Breaker”を設備データ格納部２２から取得し、ルールの機器名称の欄に取得した機器名称“Q0 Circuit Breaker”を挿入して、図８（ｄ）に示すように、３種類のイベント“Q0 Circuit Breaker Open”、“CB Open”、“Open”を生成する。
【００６１】
イベント登録手段２７はこれら３種のイベントのうち、監視制御システムが持つ機能に応じた一つのイベントを選択し、イベントリスト格納部２３に格納する。仮にここで“機器種別+Open”のイベントを必要としていれば“CB Open”を登録する。そして、イベント表示要求手段２８は、登録したイベント“CB Open”をオペレータに周知するために表示装置２０に対して表示要求を行う。
【００６２】
次に、ルールの記載例について説明する。図９は本発明の実施の形態の実施例４におけるイベントのカスタマイズを行う際のルール変更の説明図である。イベント生成の条件として、「状変方向が開の場合」と「状変方向が閉の場合」とを記載する場合を説明する。
【００６３】
図９（ａ）に示すように、ルール定義格納部２１には「状変方向が開の場合は“機器名称+Open”と“機器種別+Open”と“Open”を生成する」ルールと、「状変方向が閉の場合は“機器名称+Close”と“機器種別+Close”と“Close”を生成する」ルールを記載する。
【００６４】
実際には、図９（ｂ）に示すように、(= EqSts “Open“),EqName“Open”,EaKind“Open”,“Open”、(= EqSts “Close”),EqName“Close”,EaKind“Close”,“Close”と記載する。ここで、(= EqSts “Open”)が表す条件は「EqSts(機器状態)から得た状変方向と文字列“Open”が等しい(=)場合はEqName+“Open”とEqKind+“Open”と“Open”のイベントを生成する。また、(= EqSts “Close”)が表す条件は「EqSts(機器状態)から得た状変方向と文字列“Close”が等しい(=)場合はEqName+“Close”とEqKind+“Close”と“Close”のイベントを生成する。
【００６５】
EqStsは機器番号から機器状態を得る関数である。EqNameは機器番号から機器名称を得る関数である。EqKindは機器番号から機器種別を得る関数である。これらは設備データ格納部２２を参照する関数である。
【００６６】
このように、条件を元に生成するイベントの生成パターンを複数定義できるようにしており、例えば、事故処理機能で使用するもの、監視処理機能で使用するもの、制御処理機能で使用するものを複数定義しておく。そして、イベント登録手段２７は、これらの機能に応じて生成したイベントを登録することになる。
【００６７】
本発明の実施の形態の実施例４によれば、監視制御システム内の各機能のイベント作成を画一化することができるため、機能毎にオペレータに提供する情報の内容や詳細に差異がなくなる。これにより、機能毎の情報の理解を速やかに行うことができるため、システム全体を通した系統運用がよりスムーズになる。また、電力ユーザは機能毎に異なる定義を変更する必要がなく、ルール定義のみを変更することでオペレータに提供する情報のカスタマイズを柔軟に行うことが可能となる。
【符号の説明】
【００６８】
１１…演算処理装置、１２…事故処理機能、１３…ガイダンスデータベース、１４…事故報告書、１５…監視処理機能、１６…制御処理機能、１７…設備データベース、１８…イベント表示画面、１９…記憶装置、２０…表示装置、２１…ルール定義格納部、２２…設備データ格納部、２３…イベントリスト格納部、２４…状態変化受信手段、２５…ルール抽出手段、２６…イベント作成手段、２７…イベント登録手段、２８…イベント表示要求手段
【図１】
2011019346.tif 000003
【図２】
2011019346.tif 000004
【図３】
2011019346.tif 000005
【図４】
2011019346.tif 000006
【図５】
2011019346.tif 000007
【図６】
2011019346.tif 000008
【図７】
2011019346.tif 000009
【図８】
2011019346.tif 000010
【図９】
2011019346.tif 000011
【図１０】
2011019346.tif 000012